(57)【要約】【課題】バケツに係止具を取り付けて折り畳み状態が維持できる釣り用バケツを提供すること。【解決手段】ケ−ス本体１の上部開口が矩形で、側面部１ｂ（前面α、後面、右側面γ、左側面）と底部１ｃを有し、合成樹脂製シ−トを用いて一体、もしくは、複数のシ−トを溶着等で接合して形成されて防水性と柔軟性を有している。ケ−ス本体１の側面部１ｂの右側面γと左側面の上部に夫々舌片６の上端が固定され、舌片６に雄スナップ状の係止具７が固定されている。側面部１ｂの右側面γと左側面の下部に夫々舌片８の下端が固定され、舌片８に雌スナップ状の係止具９が固定されている。側面部１ｂの各面α、β、γ、δには、折り曲げ部１ｅが熱プレスや高周波成形で形成されている。【選択図】　　　　図１
2004081172.tif 000002
【特許請求の範囲】
【請求項１】
少なくとも底部と側面部を有し、上部開口を形成した折り畳み可能なケ−ス本体と、該ケ−ス本体を折り畳んだとき、その折り畳み状態を維持する係止具が前記ケ−ス本体に取り付けられていることを特徴とする釣り用バケツ。
【請求項２】
ケ−ス本体は、側面部を折り曲げて前記底部側と前記開口側を近づけて折り畳み可能であり、前記折り曲げ部より底部側と開口側に互いに係脱自在な係止具を取り付けたことを特徴とする請求項１記載の釣り用バケツ。
【発明の詳細な説明】
【０００１】
【発明の属する技術分野】
本発明は、ケ−ス本体の側面部を折り曲げて折り畳みその状態が維持できる釣り用バケツの改良に関する。
【０００２】
【従来の技術】
従来から折り畳み可能な釣り用バケツが用いられ、嵩張らずに持ち運びず出来て便利であった。
しかし、この釣り用バケツは、そのままでは折り畳み状態が維持できず広がってしまうと言う欠点があった。
このため、無理に荷物の間に挟んで収納したり、例えば、特許第２９７５９５２号公報の図８に記載された従来技術のように結束紐で縛って広がらないようにしていた。
しかし、このような結束紐を一緒に持ち運ぶのは不便であった。
【０００３】
【発明が解決しようとする課題】
解決しようとする課題は、折り畳み可能な釣り用バケツを折り畳んで結束紐で縛って広がらないようにすることは、結束紐を一緒に持ち運ぶので不便であったことである。
【０００４】
本発明の目的は前記欠点に鑑み、バケツに係止具を取り付けて折り畳み状態が維持できる釣り用バケツを提供することである。
【０００５】
【課題を解決するための手段】
上記課題を解決するために、
請求項１に係わる本発明は、少なくとも底部と側面部を有し、上部開口を形成した折り畳み可能なケ−ス本体と、該ケ−ス本体を折り畳んだとき、その折り畳み状態を維持する係止具が前記ケ−ス本体に取り付けられていることを要旨とするものである。
請求項２に係わる本発明は、ケ−ス本体は、側面部を折り曲げて前記底部側と前記開口側を近づけて折り畳み可能であり、前記折り曲げ部より底部側と開口側に互いに係脱自在な係止具を取り付けたことを要旨とするものである。
【０００６】
【発明の実施の形態】
請求項１の本発明により、ケ−ス本体１を折り畳んだ状態で維持でき、釣り用バケツの持ち運びが容易になる。
請求項２の本発明により、係止具７、９がケ−ス本体１の折り曲げ部１ｅより底部１ｃ側と上部開口１ａ側に互いに係脱自在に取り付けられているので、折り畳んだ状態の維持が容易に行え持ち運びに便利である。
【０００７】
【実施例】
以下、図示の実施例によって本発明を説明すると、図１から図４は第１実施例で、図１は釣り用バケツの斜視図、図２は釣り用バケツのケ−ス本体の断面側面図、図３は図２の一部拡大断面側面図、図４は釣り用バケツが折り畳まれた斜視図である。
【０００８】
釣り用バケツは、ケ−ス本体１の上部開口１ａが矩形で、側面部１ｂ（前面α、後面β、右側面γ、左側面δなどの側面を形成する部分）と底部１ｃを有し、例えばエチレン酢酸ビニ−ルや塩化ビニ−ル等の合成樹脂製シ−トを用いて一体、もしくは、複数のシ−トを溶着等で接合して形成されて防水性と柔軟性を有している。
側面部１ｂの開口縁に金属線２がシ−ト材で包み込まれ、側面部１ｂは開口１ａにおいて内側から外側へ折り返されて折り返し部１ｄが側面部１ｂに縫着や溶着等で固定されている。
【０００９】
側面部１ｂの一側に蓋体３が開閉自在に取り付けられると共に、上部開口１ａ側の側面部１ｂの開口周縁と蓋体３の開口周縁にチャック４が取り付けられて開閉自在となっている。
本願のケ−ス本体１は、少なくとも側面部１ｂと底部１ｃを有するケ−ス本体であるが、このように蓋体３を取り付けている場合はこれを含むものとする。
側面部１ｂの対向する前面α、後面βに夫々ハンドル５の止着部５ａ、５ａが固定されている。
【００１０】
ケ−ス本体１の側面部１ｂの右側面γと左側面δの上部に夫々舌片６、６の上端が固定され、舌片６に雄スナップ状の係止具７が固定されている。
側面部１ｂの右側面γと左側面δの下部に夫々舌片８、８の下端が固定され、舌片８に雌スナップ状の係止具９が固定されている。
側面部１ｂの各面α、β、γ、δには、折り曲げが容易に行えるように折り曲げ部１ｅが熱プレスや高周波成形で形成され、折り曲げ部１ｅは薄肉の溝部であったり、ケ−ス本体１の内側等に向けて折り癖を付けて形成されている。
ケ−ス本体１を広げた状態でこれを形成する合成樹脂シ−トの弾性で折り曲げ部１ｅを延ばして張りを持たせると自立してケ−ス本体１の形状を維持し、ケ−ス本体１内に撒き餌を入れたり、水を入れたりして使用できる。
尚、折り曲げ部が上記構造でなくとも、ケ−ス本体１が柔軟性を有していれば底部１ｃと上部開口１ａを近づけて折り畳み可能であり、この場合、側面部１ｂの上下長さの中間が折り曲げ部１ｅとなる。
【００１１】
図２、図３において２点鎖線のように、舌片６′、６′の上端を蓋体３に固定し、舌片８′、８′の下端を底部１ｃに固定してもよい。
【００１２】
釣り用バケツのケ−ス本体１が折り畳まれる時は、折り曲げ部１ｅでへこんで高さ方向で折り畳まれて底部１ｃ側と上部開口１ａ側が近づけられる。
折り畳まれた後は、互いに折り曲げ部１ｅの長手方向に直行する位置に設けた係止具７と係止具９が係合される。
折り曲げ部１ｅの底部１ｃ側と上部開口１ａ側に折り曲げ部１ｅを挾んで両側に係止具７と係止具９を設けると、効果的に広がりをおさえて折り畳み状態の維持が容易に行える。
【００１３】
前記のように釣り用バケツが構成されると、ケ−ス本体１を折り畳んだ状態で維持でき、釣り用バケツの持ち運びが容易になる。
尚、係止具７と係止具９が係合される部分が右側面γと左側面δのように側面部１ｂの対向位置に設けられると折り畳んだ状態を確実に維持できる。
【００１４】
図５は第２実施例で、図５は釣り用バケツのケ−ス本体の断面側面図である。
【００１５】
第２実施例では、ケ−ス本体１の側面部１ｂの右側面γと左側面δの下部に夫々舌片６、６の下端が固定され、舌片６に雄スナップ状の係止具７が固定されている。
側面部１ｂの右側面γと左側面δの上部に係止具７と係合する夫々雌スナップ状の係止具９が固定されている。
尚、右側面γと左側面δの下部に夫々舌片６、６を固定したが、これを２点鎖線のように、舌片６′、６′の下端を底部１ｃに固定してもよい。
他の構成は前記第１実施例と略同一である。
【００１６】
図６は第３実施例で、図６は釣り用バケツのケ−ス本体の断面側面図である。
【００１７】
第３実施例では、雄スナップ状の係止具７を有する舌片６、６の下端が底部１ｃに固定され、蓋体３に雌スナップ状の係止具９が固定され、この係止具７と９は係合可能になっている。
他の構成は前記第１実施例と略同一である。
【００１８】
図７は第４実施例で、図７は釣り用バケツが折り畳まれた斜視図である。
【００１９】
第４実施例では、ケ−ス本体１の側面部１ｂの左側面δの上部に舌片６″の上端が固定され、舌片６″に雄スナップ状の係止具７が固定されている。
蓋体３の他側の内側に雌スナップ状の係止具９が固定されている。
他の構成は前記第１実施例と略同一である。
【００２０】
第４実施例では、ケ−ス本体１が折り畳まれた状態で蓋体３を開いて底部１ｃ側に折り返されて、蓋体３の雌スナップ状の係止具９に舌片６″の雄スナップ状の係止具７が係合される。
【００２１】
前記説明では、係止具７、９にスナップ状の係止具で述べたが、互いに係合すれば何でも良く、スナップに限らず例えば、それぞれ雄、雌のベルベット式ファスナでも良い。
【００２２】
【発明の効果】
本発明は、以上説明したような形態で実施され、以下に記載されるような効果を奏する。
【００２３】
請求項１により、ケ−ス本体を折り畳んだ状態で維持でき、釣り用バケツの持ち運びが容易になる。
請求項２により、係止具がケ−ス本体の折り曲げ部より底部側と上部開口側に互いに係脱自在に取り付けられているので、折り畳んだ状態の維持が容易に行え持ち運びに便利である。
【図面の簡単な説明】
【図１】第１実施例で、釣り用バケツの斜視図である。
【図２】同釣り用バケツのケ−ス本体の断面側面図である。
【図３】同図２の一部拡大断面側面図である。
【図４】同釣り用バケツが折り畳まれた斜視図である。
【図５】第２実施例で、釣り用バケツのケ−ス本体の断面側面図である。
【図６】第３実施例で、釣り用バケツのケ−ス本体の断面側面図である。
【図７】第４実施例で、釣り用バケツが折り畳まれた斜視図である。
【符号の説明】
１　ケ−ス本体
１ａ　開口
１ｂ　側面部
１ｃ　底部
１ｅ　折り曲げ部
７、９　係止具
【図１】
2004081172.tif 000003
【図２】
2004081172.tif 000004
【図３】
2004081172.tif 000005
【図４】
2004081172.tif 000006
【図５】
2004081172.tif 000007
【図６】
2004081172.tif 000008
【図７】
2004081172.tif 000009